(57)【特許請求の範囲】
【請求項１】
設定器と、照明コンロトローラを有する自動調光照明装置とからなる照明システムであって、
前記設定器は、
前記照明コントローラに対して調光出力値を指定するための設定手段と、
この設定手段による調光出力値を前記照明コンロトローラへ送信する第１の通信手段と、
照度を検出する第１の照度検出手段と、
を備え、
前記自動調光照明装置は、
前記第１の通信手段により送信された調光出力値を受信する第２の通信手段と、
前記照明コントローラからの調光出力により照明出力が調整される照明器具と、
照度を検出し、検出電圧として出力する第２の照度検出部と、
を備え、
前記設定手段による複数の調光出力値に基づき前記照明器具を点灯させ、前記第１の照度検出部により照度を検出するとともに、前記第１の通信手段によりこの照度を前記自動調光照明装置へ送信し、前記自動調光照明装置では前記第２の通信手段により受信した照度と前記第２の照度検出部による検出電圧とを記憶して照度と検出電圧の関係図を作成し、照度指定時には、関係図に基づき、指定された照度に対応した検出電圧になるように前記照明コントローラにより前記照明器具への調光出力を調整することを特徴とする照明システム。
【請求項２】
設定器と、照明コンロトローラを有する自動調光照明装置とからなる照明システムであって、
前記設定器は、
前記照明コントローラに対して調光出力値を順次可変させ出力する開始手段と、
この開始手段による調光出力値を前記照明コンロトローラへ送信し、前記自動調光照明装置と通信する第１の通信手段と、
照度を検出する第１の照度検出手段と、
を備え、
前記自動調光照明装置は、
前記第１の通信手段により送信された調光出力値を受信し、前記第１の通信手段と通信する第２の通信手段と、
前記照明コントローラからの調光出力により照明出力が調整される照明器具と、
照度を検出し、検出電圧として出力する第２の照度検出部と、
を備え、
前記開始手段により調光出力値を順次可変させ前記照明器具を調光し、前記第２の通信手段により各調光出力値による調整完了を前記第１の通信手段へ送信し、前記第１の通信手段による完了受信後、前記第１の照度検出部により照度を検出するとともに、前記第１の通信手段によりこの照度を前記自動調光照明装置へ送信し、前記自動調光照明装置では前記第２の通信手段により受信した照度と前記第２の照度検出部による検出電圧とを記憶して照度と検出電圧の関係図を作成し、照度指定時には、関係図に基づき、指定された照度に対応した検出電圧になるように前記照明コントローラにより前記照明器具への調光出力を調整することを特徴とする照明システム。
【請求項３】
前記設定器に報知手段を備え、
前記関係図の作成後に、前記報知手段を稼動させることを特徴とする請求項２記載の照明システム。
【発明の詳細な説明】
【０００１】
【発明の属する技術分野】
照明器具を自動調光制御する照明システムに関する。
【０００２】
【従来の技術】
図５は例えば特開平２−６６８８３号公報に示された従来の照明システムの全体構成図、図６は従来の照明システムの照明器具部とリモコン部の構成図である。図において、１はビルなどの全体の照明を集中して群制御する集中制御装置、２は集中制御用の電気配線、３は特別設定用の電気配線であり、電気配線２、３は各群に対応して複数配線され、各電気配線２、３に天井灯などの複数の照明器具部４が接続される。さらに各照明器具部４に対応して複数のリモコン部５が備えられている。
【０００３】
照明器具部４は、蛍光ランプなどの光源６、この光源６の点灯駆動をおこなう安定器またはスイッチなどを有すると共に調光をおこなう調光回路またはボリュームなどを有する調光ユニット７を備えた器具本体８と、リモコン部５から無線媒体で送信されてくる調光指令信号を受信して調光ユニット７の制御をおこなう受信制御ユニット９とから構成され、器具本体８に対してアダプタとして構成された受信制御ユニット９は明灯から消灯までの間を連続可変調光する。
【０００４】
リモコン部５は、照度検出部１０と、この照度検出部１０で検出された検出照度値と目標照度値とを比較し照度補正を判定して調光指令信号を出力する照度比較判定部１１と、照度設定のための各種設定ボタンを有すると共に照度設定内容を記憶するメモリを有する照度設定部１２と、照度比較判定部１１から出力される調光指令信号を無線媒体で照明器具部４へ送信する信号送信部１３と、電源１４とから構成され、小形で持ち運び自在で机面などの被照明部に設置できる。
【０００５】
次に動作について説明する。
リモコン部５の照度検出部１０では、光源６からの光や外光を受光して照度を検出し、その検出照度値を照度比較判定部１１へ送る。この照度比較判定部１１では、検出照度値と照度設定部１２によりあらかじめ設定されている目標照度値とを比較し、両値が一致せず、照度補正が必要と判断された場合には自動調光の増光または現行の調光指令信号を出力する。信号送信部１３では、この調光指令信号を照明器具部４へ送信する。照明器具部４の受信制御ユニット９では、この調光指令信号を受信し、この信号に基づいて調光ユニット７を制御し、光源を調光する。
【０００６】
このように、リモコン部５で照度を検出し、その検出照度値が目標照度値に達するまで自動調光の減光または増光の調光指令信号を送信し、自動調光に設定された照明器具部４ではその調光指令信号に基づいて光源６の調光をおこなう。このため、例えば、作業を行う机面の上方に設置された照明器具部４を自動調光に設定してリモコン部５を机面に配置することにより、常に適正な手元照度が得られる。
【０００７】
【発明が解決しようとする課題】
上記のような従来の照明装置では、リモコン部５により被照明部の照度値と目標照度値を比較し照度補正を判定して照明器具４へ調光指令信号を出力することにより、被照明部において快適な照度を保つことが可能であるが、自動調光による適正照度を保ち続けるには常に被照明部にリモコンを置いておかなければならず、作業性が悪いという問題点があった。
【０００８】
この発明は、上述のような問題点を解決するためになされたもので、自動調光制御するために必要な目標照度設計値を得るための照明器具設置後の出力調整作業を軽減でき、快適な作業環境を構築できる照明システムを得るものである。
【０００９】
【課題を解決するための手段】
この発明に係る照明システムにおいては、設定器と、照明コンロトローラを有する自動調光照明装置とからなり、設定器は、照明コントローラに対して調光出力値を指定するための設定手段と、この設定手段による調光出力値を照明コンロトローラへ送信する第１の通信手段と、照度を検出する第１の照度検出手段と、を備え、自動調光照明装置は、第１の通信手段により送信された調光出力値を受信する第２の通信手段と、照明コントローラからの調光出力により照明出力が調整される照明器具と、照度を検出し、検出電圧として出力する第２の照度検出部と、を備え、設定手段による複数の調光出力値に基づき照明器具を点灯させ、第１の照度検出部により照度を検出するとともに、第１の通信手段によりこの照度を自動調光照明装置へ送信し、自動調光照明装置では第２の通信手段により受信した照度と第２の照度検出部による検出電圧とを記憶して照度と検出電圧の関係図を作成し、照度指定時には、関係図に基づき、指定された照度に対応した検出電圧になるように前記照明コントローラにより照明器具への調光出力を調整するものである。
【００１０】
また、設定器は、照明コントローラに対して調光出力値を順次可変させ出力する開始手段と、この開始手段による調光出力値を照明コンロトローラへ送信し、自動調光照明装置と通信する第１の通信手段と、照度を検出する第１の照度検出手段と、を備え、自動調光照明装置は、第１の通信手段により送信された調光出力値を受信し、第１の通信手段と通信する第２の通信手段と、照明コントローラからの調光出力により照明出力が調整される照明器具と、照度を検出し、検出電圧として出力する第２の照度検出部と、を備え、開始手段により調光出力値を順次可変させ前記照明器具を調光し、第２の通信手段により各調光出力値による調整完了を第１の通信手段へ送信し、第１の通信手段による完了受信後、第１の照度検出部により照度を検出するとともに、第１の通信手段によりこの照度を自動調光照明装置へ送信し、自動調光照明装置では第２の通信手段により受信した照度と第２の照度検出部による検出電圧とを記憶して照度と検出電圧の関係図を作成し、照度指定時には、関係図に基づき、指定された照度に対応した検出電圧になるように照明コントローラにより照明器具への調光出力を調整するものである。
【００１１】
さらに、設定器に報知手段を備え、関係図の作成後に、報知手段を稼動させるものである。
【００１２】
【発明の実施の形態】
実施の形態１．
図１はこの発明の実施の形態１である照明システムの構成図、図２はこの照明システムにより作成される照度センサ電圧と被照明部の照度の関係図である。
【００１３】
図において、２１は設定器、２２は自動調光照明装置である。
自動調光照明装置２２は、照度センサ２４と通信手段２５を有するとともにインバータ照明器具（以下、照明器具という）２６への調光信号出力を調節する照明コントローラ２３と、照明器具２６とから構成される。ここで、照明コントローラ２３は、照度センサ２４で検知する値が一定となるように調光信号出力を制御する。照度センサ２４の目標照度は、自動調光照明装置２２設置後に設定器２１により設定される。
なお、照度センサ２４、通信手段２５は、それぞれ第２の照度検出部、第２の通信手段を示す。
【００１４】
また、設定器２１は、照度を検出する照度検出部２０と、送信部を有し、設定内容を自動調光照明装置２２に送信する通信手段２７と、照明コントローラ２３へ調光出力を指定するための設定ボタン２８と、照度値と調光出力値を送信するための送信ボタン２９と、照度値と調光出力値などを設定器上に表示するＬＣＤ、ＬＥＤ等からなる表示手段３０と、マイコン３１と、電源回路３２とから構成される。
なお、照度検出部２０、通信手段２７、設定ボタン２８、表示手段３０は、それぞれ第１の照度検出手段、第１の通信手段、設定手段、報知手段を示す。
【００１５】
次に動作について説明する。
まず、設定器２１による自動調光照明装置２２への設定動作について説明する。自動調光照明装置２２を設置した後、設定器２１の設定ボタン２８および送信ボタン２９を操作し、通信手段２７により自動調光照明装置２２へ調光出力のコマンドを送信する。自動調光照明装置２２は通信手段２５によりコマンドを受信し、このコマンドに基づき照明コントローラ２３は照明器具２６へ調光信号を出力する。例えば、照明器具２６を調光出力１００%、５０%、２０%で点灯させる。この各調光出力において、設定器２１の照度検出部２０で検知した照度値を通信手段２７により自動調光照明装置２２へ送信する。
【００１６】
自動調光照明装置２２の照明コントローラ２３は、通信手段２５により受信した照度値と、そのときの照度センサ２４の検出電圧を記憶する。そして、この３つの点灯パターンのデータをもとに測定点間を線形近似などで補間して、図２に示す照度〔ｌｘ〕とセンサ電圧〔Ｖ〕の関係図を作成し、保持する。なお、この関係図は近似式の形でもよい。
【００１７】
その後、照明コントローラ２３は、通信手段２５により設定器２１等の外部からのコマンドを受信し、照明出力を照度〔ｌｘ〕で指定されると、関係図を参照し、指定された照度〔ｌｘ〕に該当する照度センサ電圧となるよう調光信号の出力を調整し、照明器具２６を指定された照度で点灯する。
よって、照明器具設置後の出力調整作業を軽減し、通常は自動調光照明装置２２のみで被照明部を基準とした適正照度を得ることができる。
【００１８】
実施の形態２．
実施の形態１では、設定器２１と照明コントローラ２３の通信は、設定器２１から照明コントローラ２３への片方向のみの通信であったが、双方向の通信を行ってもよい。
図３はこの発明の実施の形態２である照明システムの構成図、図４はこの照明システムの設定器と照明コントローラとの通信手順を示す図である。
【００１９】
図において、上記実施の形態１と同一または相当部分には同一符号を付ける。設定器２１は、照度を検出する照度検出部２０と、送信部と受信部を有し、自動調光照明装置２２と双方向通信を行う通信手段３３と、照明コントローラ２３への設定を開始する開始ボタン３４と、設定完了を知らせるブザー３５と、照度値と調光出力値を送信するための送信ボタン２９と、ＬＣＤ、ＬＥＤ等からなる表示手段３０と、マイコン３１と、電源回路３２とから構成される。
なお、開始ボタン３４は開始手段、表示手段３０およびブザー３５は報知手段をそれぞれ示す。
自動調光照明装置２２は、上記実施の形態１と同様に構成される。
【００２０】
次に動作について説明する。
図４を用いて設定器２１による自動調光照明装置２２への設定動作について説明する。設定器２１の開始ボタン３４を押すと設定器２１は調光出力１００%で点灯する旨のコマンドを自動調光照明装置２２へ送信する。自動調光照明装置２２は通信手段２５によりコマンドを受信し、このコマンドに基づき照明コントローラ２３は照明器具３６へ調光信号を出力し、指定された出力に照明器具３６を調整する（ステップＳ１）。この調整完了後、設定器２１へ調整完了コマンドを送信する（ステップＳ２）。
【００２１】
設定完了信号を受けた設定器２１は、照度検出部２０により検知した照度値を照明コントローラ２３へ送信する（ステップＳ３）。照明コントローラ２３は受信した照度値とその時の照度センサ２４の検出電圧を記憶する（ステップＳ４）。次に上記手順で調光出力８０％における照度値と検出電圧を記憶する。
【００２２】
このように調光出力を０%〜１００%の範囲で変え、所定の回数の照度値と検出電圧を記憶し、照明コントローラ２３は計測したデータから照度〔ｌｘ〕とセンサ電圧〔Ｖ〕の関係図を照明コントローラ２３内部に作成し、保持する。
以上の手順を終了したら、設定器２１はブザー３５とＬＥＤなどの表示手段３０で設定の終了を通知する（ステップＳ５）。
【００２３】
その後、照明コントローラ２３は、通信手段２５経由で照明出力を照度〔ｌｘ〕で指定されると、関係図を参照し、指定された照度〔ｌｘ〕に該当する照度センサ電圧となるよう調光信号の出力を調整し、照明器具２６を指定された照度で点灯する。
よって、設定動作をより簡単に行うことができる。
【００２４】
【発明の効果】
この発明は、以上説明したように構成されているので、以下に示すような効果を奏する。
【００２５】
設定手段による複数の調光出力値に基づき照明器具を点灯させ、第１の照度検出部により照度を検出するとともに、第１の通信手段によりこの照度を前記自動調光照明装置へ送信し、自動調光照明装置では前記第２の通信手段により受信した照度と第２の照度検出部による検出電圧とを記憶して照度と検出電圧の関係図を作成し、照度指定時には、関係図に基づき、指定された照度に対応した検出電圧になるように照明コントローラにより照明器具への調光出力を調整するので、自動調光制御するために必要な目標照度設計値を得るための照明器具設置後の出力調整作業を軽減でき、また、関係図により、被照明部の照度をもとにした自動調光ができ、かつ操作時には照度で入力でき、人の感覚に頼らない被照明部の適正照度を簡単に設定でき、快適な照明環境を保つことができる。
【００２６】
また、開始手段により調光出力値を順次可変させ照明器具を調光し、第２の通信手段により各調光出力値による調整完了を第１の通信手段へ送信し、第１の通信手段による完了受信後、第１の照度検出部により照度を検出するとともに、第１の通信手段によりこの照度を自動調光照明装置へ送信し、自動調光照明装置では前記第２の通信手段により受信した照度と第２の照度検出部による検出電圧とを記憶して照度と検出電圧の関係図を作成し、照度指定時には、関係図に基づき、指定された照度に対応した検出電圧になるように照明コントローラにより照明器具への調光出力を調整するので、出力調整作業をより軽減でき、また、関係図により、被照明部の照度をもとにした自動調光ができ、かつ操作時には照度で入力でき、人の感覚に頼らない被照明部の適正照度を簡単に設定でき、快適な照明環境を保つことができる。
【００２７】
さらに、関係図の作成後に、前記報知手段を稼動させるので、出力調整作業の完了を簡単に把握できる。
【図面の簡単な説明】
【図１】  この発明の実施の形態１を示す照明システムの構成図である。
【図２】  この発明の実施の形態１を示す照明システムの照度センサ電圧と被照明部の照度の関係図である。
【図３】  この発明の実施の形態２を示す照明システムの構成図である。
【図４】    この発明の実施の形態２を示す照明システムの設定器と照明コントローラとの通信手順を示す図である。
【図５】    従来の照明システムの全体構成図である。
【図６】    従来の照明システムの照明器具部とリモコン部の構成図である。
【符号の説明】
２０  照度検出部、  ２１  設定器、  ２２  自動調光照明装置、  ２３照明コントローラ、  ２４  照度センサ、  ２５  通信手段、  ２６  照明器具、  ２７  通信手段、  ２８  設定ボタン、  ２９  送信ボタン、  ３０  表示手段、  ３３  通信手段、  ３４  開始ボタン、  ３５  ブザー。
【図１】
0003788099.tif 000002
【図２】
0003788099.tif 000003
【図３】
0003788099.tif 000004
【図４】
0003788099.tif 000005
【図５】
0003788099.tif 000006
【図６】
0003788099.tif 000007